(57)【特許請求の範囲】
【請求項１】
顔面の鼻口部を覆うよう装着されるマスク本体部の左右両方の側縁部にそれぞれ通気ユニットを配置し、前記マスク本体部の顔面側表面に沿って通気ユニットの間を接続部により接続するマスク用通気装置であって、
各通気ユニットは、
前記側縁部と前記顔面との間に挟まるように取り付ける取付部と、
前記鼻口部側と外部側とにそれぞれ設けられた開口部間に形成される通気路と、
前記通気路内に設けられ前記鼻口部側から前記外部側への排気のみを可能にする通気機構と
を備え、
前記接続部の長さの調整を可能にするラッチ構造を有する
ことを特徴とするマスク用通気装置。
【請求項２】
前記接続部は、折り曲げた又は曲線様の状態を保持することを特徴とする請求項１に記載のマスク用通気装置。
【請求項３】
前記通気機構は、排気弁であることを特徴とする請求項１又は２に記載のマスク用通気装置。
【請求項４】
前記排気弁の弁体は、着脱可能な樹脂製の可撓性フィルムであることを特徴とする請求項３に記載のマスク用通気装置。
【請求項５】
前記通気機構は、強制的に排気する排気ファンであることを特徴とする請求項１又は２に記載のマスク用通気装置。
【請求項６】
前記通気機構は、さらに排気弁を前記通気路内に設けたことを特徴とする請求項５に記載のマスク用通気装置。
【請求項７】
前記取付部は、本体部の上下側面に設けられることを特徴とする請求項１〜６のいずれか一つに記載のマスク用通気装置。
【請求項８】
前記取付部の底面は、本体部の底面に対して前記マスクの厚み分、浮かせていることを特徴とする請求項７に記載のマスク用通気装置。
【請求項９】
前記取付部は、さらに前記本体部の前面に設けられることを特徴とする請求項７又は８に記載のマスク用通気装置。
【請求項１０】
前記顔面に接触する部位は、立設するフレームの底面であることを特徴とする請求項１〜９のいずれか一つに記載のマスク用通気装置。
【発明の詳細な説明】
【技術分野】
【０００１】
本発明は、使い捨てが可能なマスクを使用する際、簡易な構成でマスク本体部と顔面との間の空間の温度を下げて暑さ対策を講じることができるマスク用通気装置に関する。
【背景技術】
【０００２】
マスクは、病菌や埃等が呼吸に伴って体内に入るのを防止し、また口や鼻からの分泌物などを周囲に撒き散らさないようにするものとして広く用いられている。また、近年では花粉症予防にも有効であることから、数多くの製品が提案されている。例えば、不織布等の伸縮性シートを使用して、口もとを覆う覆い部と、この覆い部から後方へ延びる耳掛け部とを一体的に形成したマスク（例えば、特許文献１参照）や、長方形状のマスク本体部の長辺に平行に沿って折りたたんで設けられた折り目を設けることにより、呼吸する空間
をマスク本体部と顔面との間に確保するようにしたマスク（例えば、特許文献２参照）などが知られている。
【先行技術文献】
【特許文献】
【０００３】
【特許文献１】特開平９−１４９９４５号公報
【特許文献２】特開平１１−０９９２１６号公報
【発明の概要】
【発明が解決しようとする課題】
【０００４】
ところで、屋外、特に夏季に長時間、マスクを使用すると、呼気によりマスク本体部と顔面との間の空間の温度が高くなり、熱中症などにかかりやすい。例えば、建設工事現場の作業者、屋外警備員、ゴルフなどの屋外スポーツ実施者、スポーツ観戦者、ライフガード員、駅員などは、特にマスク使用時の暑さ対策を施す必要がある。この暑さ対策のため、強制的な吸排気機能を備えたマスクを用いることができるが、専用のマスクに予め備え付けてあり着脱できないものであるため、使い捨てが可能なマスクには適用できない。また、マスク本体部にミントなどの清涼剤や冷感材を配置して清涼感を得ることができるマスクもあるが、清涼材や冷感材には、マスク本体部と顔面との間の空間の温度を下げる効果はない。
【０００５】
本発明は、上記の課題を解決するためになされたものであって、使い捨てが可能なマスクを使用する際、簡易な構成でマスク本体部と顔面との間の空間の温度を下げて暑さ対策を講じることができるマスク用通気装置を提供することを目的とする。
【課題を解決するための手段】
【０００７】
上記の課題を解決するため、本発明は、顔面の鼻口部を覆うよう装着されるマスク本体部の左右両方の側縁部にそれぞれ通気ユニットを配置し、前記マスク本体部の前記顔面側表面に沿って通気ユニットの間を接続部により接続するマスク用通気装置であって、各通気ユニットは、前記側縁部と前記顔面との間に挟まるように取り付ける取付部と、前記鼻口部側と外部側とにそれぞれ設けられた開口部間に形成される通気路と、前記通気路内に設けられ前記鼻口部側から前記外部側への排気のみを可能にする通気機構とを備え、前記接続部の長さの調整を可能にするラッチ構造を有することを特徴とする。
【００１０】
また、本発明は、上記の発明において、前記接続部は、折り曲げた又は曲線様の状態を保持することを特徴とする。
【００１１】
また、本発明は、上記の発明において、前記通気機構は、排気弁であることを特徴とする。
【００１２】
また、本発明は、上記の発明において、前記排気弁の弁体は、着脱可能な樹脂製の可撓性フィルムであることを特徴とする。
【００１３】
また、本発明は、上記の発明において、前記通気機構は、強制的に排気する排気ファンであることを特徴とする。
【００１４】
また、本発明は、上記の発明において、前記通気機構は、さらに排気弁を前記通気路内に設けたことを特徴とする。
【００１６】
また、本発明は、上記の発明において、前記取付部は、本体部の上下側面に設けられることを特徴とする。
【００１７】
また、本発明は、上記の発明において、前記取付部の底面は、本体部の底面に対して前記マスクの厚み分、浮かせていることを特徴とする。
【００１８】
また、本発明は、上記の発明において、前記取付部は、さらに前記本体部の前面に設けられることを特徴とする。
【００１９】
また、本発明は、上記の発明において、前記顔面に接触する部位は、立設するフレームの底面であることを特徴とする。
【発明の効果】
【００２０】
本発明によれば、使い捨てが可能なマスクを使用する際、簡易な構成でマスク本体部と顔面との間の空間の温度を下げて暑さ対策を講じることができる。
【図面の簡単な説明】
【００２１】
【図１】図１は、本発明の実施の形態１に係るマスク用通気装置をマスクに取り付けて人に装着した状態を示す図である。
【図２】図２は、マスク用通気装置をマスクに装着した状態をマスクの前面からみた斜視図である。
【図３】図３は、マスク用通気装置をマスクに取り付け、人から外した後の状態をマスクの後面から見た斜視図である。
【図４】図４は、マスクに装着する前のマスク用通気装置の構成を示す正面図である。
【図５】図５は、図４に示したマスク用通気装置の平面図である。
【図６】図６は、図４に示したマスク用通気装置の裏面図である。
【図７】図７は、図４に示したマスク用通気装置を裏面側右斜め後方からみた斜視図である。
【図８】図８は、図４に示したマスク用通気装置の左側面図である。
【図９】図９は、通気ユニットの分解斜視図である。
【図１０】図１０は、図８に示した通気ユニットのＡ−Ａ線断面図である。
【図１１】図１１は、通気ユニットを裏面側からみた斜視図である
【図１２】図１２は、本実施の形態２に係るマスク用通気装置の構成を示す斜視図である。
【図１３】図１３は、図１２に示したマスク用通気装置のＢ−Ｂ線断面図である。
【図１４】図１４は、本変形例２に係るマスク用通気装置の構成を示す断面図である。
【発明を実施するための形態】
【００２２】
以下に、添付図面を参照して、本発明に係るマスク用通気装置の好適な実施の形態を詳細に説明する。
【００２３】
［実施の形態１］
＜概要＞
まず、マスク用通気装置１０の概要について説明する。ここで例示するマスク１は、家庭用マスクなどの衛生マスクであり、使い捨てが可能なプリーツ型マスクである。図１は、本発明の実施の形態１に係るマスク用通気装置１０をマスク１に取り付けて人１００に装着した状態を示す図である。また、図２は、マスク用通気装置１０をマスク１に装着した状態をマスク１の前面からみた斜視図である。さらに、図３は、マスク用通気装置１０をマスク１に取り付け、人１００から外した後の状態をマスク１の後面から見た斜視図である。
【００２４】
図１〜図３に示すように、マスク１は、人１００の顔面１０１の鼻口部１０２を覆うように装着される。マスク１は、マスク本体部２と耳掛け部３とを有する。マスク本体部２は、内部に不織布などのフィルタを内在している。耳掛け部３は、マスク本体部２の左右の側縁部２ａ，２ｂの上下端に取り付けられた紐部材であり、この紐部材が両耳に掛かることによって、マスク本体部２による鼻口部１０２の覆いを保持する。マスク１は、上記のように、プリーツ型マスクであり、マスク本体部２の前面がプリーツ状になっており、プリーツを上下に広げて人１００に装着することでマスク本体部２と鼻口部１０２との間の空間が生まれ、呼吸が楽になるとともに、マスク１を装着したまま会話してもずれにくい。
【００２５】
マスク用通気装置１０は、マスク本体部２の左右両方の側縁部２ａ，２ｂにそれぞれ配置される通気ユニット１１ａ，１１ｂと、通気ユニット１１ａ，１１ｂとの間を接続する接続部１２とを有する。接続部１２は、マスク本体部２の後面、すなわち顔面側表面に沿って各通気ユニット１１ａ，１１ｂを接続する。後述するように、通気ユニット１１ａ，１１ｂは、単体としてもマスク用通気装置として機能するが、ここでは、接続部１２を介して接続された２つの通気ユニット１１ａ，１１ｂを有したマスク用通気装置１０について説明する。
【００２６】
通気ユニット１１ａ，１１ｂの上下側面には、取付部２１がそれぞれ設けられる。取付部２１は、通気ユニット１１ａ，１１ｂの本体部２０が側縁部２ａ，２ｂと顔面１０１との間に挟まるように取り付ける。取付部２１は、本体部２０の上下側面に沿って延びる棒状部材のクリップであり、本体部２０の上下側面との間に側縁部２ａ，２ｂを挟む。本体部２０を覆い、本体部２０の上下側面において取付部２１に挟まれた側縁部２ａ，２ｂは、本体部２０の上下位置において取付部２１と顔面１０１との間に挟まれる。すなわち、取付部２１は、櫛型のクリップ機能を有する。図１〜図３では、各通気ユニット１１ａ，１１ｂの上下に２つ設けられているが、さらに３つ以上、上下方向に設けてもよい。この複数の取付部２１により、側縁部２ａ，２ｂはジグザグにクリップされ、通気ユニット１１ａ，１１ｂがマスク本体部２から滑り落ちるのを防止することができる。なお、本体部２０の前面表面には、取付部２２が設けられ、この取付部２２との間に側縁部２ａ，２ｂを挟んでクリップすることによって、さらに通気ユニット１１ａ，１１ｂがマスク本体部２からの滑り落ちを防止するともに、側縁部２ａ，２ｂと本体部２０の前面表面との間の隙間を小さくすることができる。
【００２７】
なお、各通気ユニット１１ａ，１１ｂ内には、鼻口部１０２側と外部側とにそれぞれ設けられた開口部間に形成される通気路が形成されるとともに、この通気路内に設けられ鼻口部１０２側から外部側への排気のみを可能にする通気機構としての排気弁４０が設けられる。
【００２８】
＜詳細構成＞
図４は、マスク１に装着する前のマスク用通気装置１０の構成を示す正面図である。図５は、図４に示したマスク用通気装置１０の平面図である。図６は、図４に示したマスク用通気装置１０の裏面図である。また、図７は、図４に示したマスク用通気装置１０を裏面側右斜め後方からみた斜視図である。図８は、図４に示したマスク用通気装置１０の左側面図である。また、図９は、通気ユニット１１ａの分解斜視図である。さらに、図１０は、図８に示した通気ユニット１１ａのＡ−Ａ線断面図である。
【００２９】
図４〜図１０に示すように、通気ユニット１１ａ，１１ｂは、接続部１２によって接続される。接続部１２は、例えば、可撓性の結束バンドであり、両端は、各通気ユニット１１ａ，１１ｂのラッチ構造２７によってラッチされる。ラッチ構造２７は、下部本体部２０ｂに係合されるカバー２０ａの上面（＋Ｚ方向）に形成された挿通孔２５に形成された線状突起２６である。接続部１２には、この線状突起２６に係合する線状溝が連続的に形成されている。したがって、接続部１２の長さは、所望の長さに調整し、保持することができる。挿通孔２５は、下部本体部２０ｂに形成された挿通孔２４に連通して１つの挿通孔を形成する。接続部１２は、挿通孔２４，２５に挿通されることになる。なお、図５に示すように、カバー２０ａの上面は、Ｘ方向に向かってＺ方向の高さが減少するように傾斜しており、接続部１２の先端部の突出が長くなる場合、先端部は挿通孔２５から突出が許容される。
【００３０】
この接続部１２を用いて各通気ユニット１１ａ，１１ｂを接続することにより、各通気ユニット１１ａ，１１ｂのマスク本体部２への取付を確実に行うことができるとともに、通気ユニット１１ａ，１１ｂの位置ずれを防止することができる。
【００３１】
さらに、各通気ユニット１１ａ，１１ｂを接続する接続部１２は、マスク本体部２と顔面１０１の間に空間を確保するように折り曲げ、または曲線様の状態を保持し、鼻口部１０２から通気ユニット１１ａ，１１ｂへの排気の流れを、マスク本体部２が妨げることを防止する。
【００３２】
なお、図９に示すように、通気ユニット１１ａ（１１ｂ）は、下部本体部２０ｂにカバー２０ａを＋Ｘ方向側から結合させることによって形成される。
【００３３】
下部本体部２０ｂには、Ｘ方向に向かって低くなる傾斜板が形成されている。この傾斜板には、通気機構としての排気弁４０が形成される。傾斜板には、開口４１が形成され、この開口４１を上部（＋Ｚ方向）から閉成可能な弁体４２が配置される。弁体４２の一端は、取付部４３によって固定される。
【００３４】
弁体４２は、例えば、０．１ｍｍ程度のポリプロピレンやポリエステルなど、ある程度剛性の有る可撓性材料で形成されたシートである。なお、弁体４２の一端は、取付部４３によって固定せず、着脱自在となるように、両面テープで貼り付けるようにしてもよい。なお、弁体４２が着脱自在である場合、弁体４２を交換すればよいが、取付部４３によって固定している場合、通気ユニット１１ａ，１１ｂの全体の洗浄（水洗い）が可能であるため、同時に弁体４２を洗浄することができる。
【００３５】
各通気ユニット１１ａ，１１ｂは、鼻口部１０２側（−Ｘ方向側）の開口部３０と、外部側（＋Ｘ方向側）の開口部３１との間に通気路Ｌ１が形成される。排気弁４０の開口は、この通気路Ｌ１内に設けられる。排気弁４０は、鼻口部１０２側から外部側への排気のみを可能にする。
【００３６】
すなわち、呼気を吐き出すことによってマスク本体部２と顔面１０１との間の内圧が高くなると、マスク本体部２内に対流が発生し、図１０に示すように、弁体４２は撓んだ弁体４２´となり、排気弁４０が開となり、矢印のように、通気路Ｌ１を介して排気される。その後、内圧が低くなると、弁体４２は、開口４１を閉成し、通気路Ｌ１が遮断される。
【００３７】
この排気弁４０の開による排気によって、マスク本体部２と顔面１０１との間の空間には空気の流れが生じる。このとき、連続的な呼吸によってマスク本体部２内には蒸れによる水滴が生じており、水滴の表面を空気が流れることで生じる気化熱によって顔面温度が低下する。この顔面１０１の温度低下によって人の暑さ対策（熱中症対策）が講じられることになる。また、メガネをかけている場合、マスク上部からの排気量が抑えられることにより、メガネの曇りも抑えることができる。
【００３８】
なお、図８に示すように、取付部２１の底面は、本体部２０の底面Ｓに対してマスク本体部２の厚みｄ分、浮かせている。これにより、マスク本体部２に通気ユニット１１ａ，１１ｂを取り付けた場合であっても、本体部２０の底面Ｓとマスク本体部２の顔面１０１側の面とが、ほぼ面一となり、マスクの防菌や防塵などのフィルタ機能を損なわないようにしている。
【００３９】
図１１は、通気ユニット１１ａを裏面側からみた斜視図である。図１１に示すように、通気ユニット１１ａ（１１ｂ）の底面Ｓは、コの字状で顔面１０１に接し、顔面１０１への接触面積が小さくなるようにしている。すなわち、顔面１０１に接触する部位は、Ｚ方向に立設するフレームの底面Ｓのみである。これによって、通気ユニット１１ａ，１１ｂの装着時に違和感を与えず、しかも、顔面１０１が通気路Ｌ１の一部を形成するため、通気ユニット１１ａ，１１ｂの装着部分である顔面１０１に対する通気による温度低下を促進することができる。
【００４０】
本実施の形態１では、排気弁４０を用いた簡易な構造で暑さ対策を行うことができる。また、使い捨てが可能なマスクであっても、マスクごとに繰り返し使用可能である。さらに、櫛型のクリップ構造によりマスク本体部２への着脱が容易である。
【００４１】
［変形例１］
上記の実施の形態１では、通気ユニット１１ａ，１１ｂと接続部１２とを組み合わせたマスク用通気装置であったが、１つの通気ユニット１１ａ，１１ｂのみをマスク本体部２に装着したマスク用通気装置であってもよい。また、２つの通気ユニット１１ａ，１１ｂをマスク本体部２の左右の側縁部２ａ，２ｂに独立して装着したマスク用通気装置であってもよい。
【００４２】
［実施の形態２］
上記の実施の形態１では、通気機構として排気弁４０を用いていたが、本実施の形態２では、通気機構として強制的に排気する排気ファンを設けている。
【００４３】
図１２は、本実施の形態２に係るマスク用通気装置５１の構成を示す斜視図である。また、図１３は、図１２に示したマスク用通気装置５１のＢ−Ｂ線断面図である。マスク用通気装置５１は、実施の形態１の通気ユニット１１ａ，１１ｂに対応する。
【００４４】
図１２に示すように、マスク用通気装置５１は、本体部６０の上下方向の側面に、取付部２１に対応する取付部６１を設けている。したがって、マスク本体部２の側縁部２ａ，２ｂは、上方向の取付部６１に挟まれ、本体部６０の上部を覆い、下方向の取付部６１に挟まれる。これにより、マスク用通気装置５１は、通気ユニット１１ａ，１１ｂと同様に、マスク本体部２と顔面１０１との間に挟まれる。
【００４５】
本体部６０は、鼻口部１０２側に設けた開口部８０と、外部側に設けた開口部８１とを有する。開口部８１は、上部内壁面側に設けられ、開口部８１を塞ぐように、上部内壁面に、排気ファン７０が設けられる。排気ファン７０は、吸気方向に対する排気方向の変更が可能なファンを用いてスペースを確保することができる。例えばシロッコファンのようなファンを用いる。これにより本体部６０の厚みが抑えることが可能である。
【００４６】
この結果、図１３の矢印に示すように、開口部８０、排気ファン７０、開口部８０を介した通気路Ｌ２が形成される。
【００４７】
なお、排気ファン７０は、モータ駆動するため、バッテリ６５が設けられる。図１２に示すように、バッテリ６５は、下方の取付部６１の上面に配置される。なお、バッテリ６５の上面に太陽光発電パネルを設けてバッテリ６５を充電するようにしてもよい。夏季等の暑い日は、太陽光を有効利用できるからである。バッテリ６５からの電源電流は、ケーブル６６を介して本体部の排気ファン７０に接続される。また、本体部６０には、排気ファン７０のオンオフを切り替えるスイッチ６７を設けている。
【００４８】
また、実施の形態１と同様に、底面の接触部分を小さくするようにしてもよい。さらに、実施の形態１と同様に、マスク用通気装置５１をマスク本体部２の左右の側縁部２ａ，２ｂに設けてもよいし、接続部１２を介して２つのマスク用通気装置５１を接続するようにしてもよい。
【００４９】
［変形例２］
図１４は、本変形例２に係るマスク用通気装置５１´の構成を示す断面図である。本変形例２では、実施の形態２の通気路Ｌ２内に、さらに実施の形態１の排気弁４０を設けるようにしている。これにより、排気ファン７０に供給する電源が切れた場合でも、弁の特性により通気口からの外気の吸入を阻止することができる。
【００５０】
なお、上記の実施の形態１，２及び変形例１，２では、マスク用通気装置が取り付けられるマスクを、使い捨てが可能なプリーツ型マスクに適用して説明したが、これに限らず、平型マスクや立体型マスクにも適用することができる。また、マスクの材質は任意であり、ガーゼタイプであっても、不織布タイプであってもよい。
【００５１】
また、上記の実施の形態及び変形例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【００５２】
本発明に係るマスク用通気装置は、一般的に流通している衛生マスクを使用する場合であって、簡易な構成でマスク本体部と顔面との間の空間の温度を下げて暑さ対策を講じる場合に有効である。
【符号の説明】
【００５３】
１  マスク
２  マスク本体部
２ａ，２ｂ  側縁部
３  耳掛け部
１０，５１，５１´  マスク用通気装置
１１ａ，１１ｂ  通気ユニット
１２  接続部
２０，６０  本体部
２０ａ  カバー
２０ｂ  下部本体部
２１，２２，４３，６１  取付部
２４，２５，２６  挿通孔
２６  線状突起
２７  ラッチ構造
３０，３１，８０，８１  開口部
４０  排気弁
４１  開口
４２  弁体
６５  バッテリ
６６  ケーブル
６７  スイッチ
７０  排気ファン
１００  人
１０１  顔面
１０２  鼻口部
Ｌ１，Ｌ２  通気路
Ｓ  底面
【要約】
【課題】使い捨てが可能なマスクを使用する際、簡易な構成でマスク本体部と顔面との間の空間の温度を下げて暑さ対策を講じることができるマスク用通気装置を提供すること。
【解決手段】顔面１０１の鼻口部１０２を覆うよう装着されるマスク本体部２の左右両方の側縁部２ａ，２ｂにそれぞれ配置されるマスク用通気装置１０であって、各マスク用通気装置は、側縁部２ａ，２ｂと顔面１０１との間に挟まるように取り付ける取付部２１と、鼻口部側と外部側とにそれぞれ設けられた開口部間に形成される通気路と、通気路内に設けられ鼻口部側から外部側への排気のみを可能にする排気弁と、マスク本体部２の顔面側表面に沿って各マスク用通気装置の間を接続する接続部１２とを備える。
【選択図】図１【図１】
0006778349.tif 000002
【図２】
0006778349.tif 000003
【図３】
0006778349.tif 000004
【図４】
0006778349.tif 000005
【図５】
0006778349.tif 000006
【図６】
0006778349.tif 000007
【図７】
0006778349.tif 000008
【図８】
0006778349.tif 000009
【図９】
0006778349.tif 000010
【図１０】
0006778349.tif 000011
【図１１】
0006778349.tif 000012
【図１２】
0006778349.tif 000013
【図１３】
0006778349.tif 000014
【図１４】
0006778349.tif 000015